(57)【特許請求の範囲】
【請求項１】
携帯情報端末と、ネットワークに接続されたコンテンツサーバと、該ネットワークに接続されたルータと、該携帯情報端末及び該ルータの間でパケットの中継を行う中継装置とを有するシステムを用いた、携帯情報端末用の情報転送方法において、
前記携帯情報端末がＩＰパケットを前記中継装置へ送信する第１の段階と、
前記中継装置が、端末側論理ポート番号リストとして、前記ＩＰパケットのチャネルに基づく第１の論理ポート番号を前記ＩＰパケットに格納し、該ＩＰパケットを前記ルータへ送信する第２の段階と、
前記ルータが、端末側論理ポート番号リストとして、前記ＩＰパケットのチャネルに基づく第２の論理ポート番号を前記ＩＰパケットに格納し、該ＩＰパケットを前記コンテンツサーバへ送信する第３の段階と、
前記コンテンツサーバが、コンテンツを有するパケット内に前記端末側論理ポート番号リストを格納して、該パケットを前記ルータへ送信する第４の段階と、
前記ルータが、サーバ側論理ポート番号リストとして、前記パケットのチャネルに基づく第３の論理ポート番号を前記パケットに格納し、該パケットに含まれる前記端末側論理ポート番号リスト内の前記第２の論理ポート番号に基づく前記チャネルの前記中継装置へ該パケットを送信する第５の段階と、
前記中継装置が、サーバ側論理ポート番号リストとして、該パケットのチャネルに基づく第４の論理ポート番号を格納し、該パケットに含まれる前記端末側論理ポート番号リスト内の前記第１の論理ポート番号に基づく前記チャネルの前記携帯情報端末へ該パケットを送信する第６の段階と
を有することを特徴とする、携帯情報端末用の情報転送方法。
【請求項２】
前記携帯情報端末が、前記サーバ側論理ポート番号リストを経路ヘッダとしてパケットに格納し、該パケットを前記中継装置へ送信する第７の段階を更に有することを特徴とする請求項１に記載の方法。
【請求項３】
前記ルータは、該ルータに接続されたコンテンツディレクトリサーバを用いて前記コンテンツサーバに関する情報を取得することを特徴とする請求項１又は２に記載の方法。
【請求項４】
前記コンテンツサーバが、同報ビットを有意にした同報パケットを送信する同報サーバであり、該同報パケットを受信した前記ルータは、該同報パケットを同報的に各中継装置へ送信することを特徴とする請求項１から３のいずれか１項に記載の方法。
【請求項５】
前記中継装置は、前記携帯情報端末が配置される接続用ベースと通信する集線装置であることを特徴とする請求項１から４のいずれか１項に記載の方法。
【請求項６】
前記同報パケットを受信した前記集線装置は、該同報パケットを同報的に各接続ベースへ送信することを特徴とする請求項５に記載の方法。
【請求項７】
前記中継装置は、無線又は赤外線を介して前記携帯情報端末と通信するワイヤレスアクセスノードであることを特徴とする請求項１から４のいずれか１項に記載の方法。
【請求項８】
前記同報パケットを受信した前記ワイヤレスアクセスノードは、該同報パケットを同報用チャネルを介して各携帯情報端末へ送信することを特徴とする請求項７に記載の方法。
【発明の詳細な説明】
【０００１】
【発明の属する技術分野】
本発明は、携帯情報端末と、ネットワークに接続されたコンテンツサーバと、該ネットワークに接続されたルータと、該携帯情報端末及び該ルータの間でパケットの中継を行う中継装置とを有するシステムを用いた、携帯情報端末用の情報転送方法に関する。
【０００２】
【従来の技術】
最近、ＰＤＡ（Ｐｅｒｓｏｎａｌ  Ｄｉｇｉｔａｌ  Ａｓｓｉｓｔａｎｔ）と称される情報携帯端末が急速に普及してきている。ＰＤＡとしては、例えばＰａｌｍ、ザウルス、ＰｏｃｋｅｔＰＣ等がある。これらＰＤＡは、個人情報管理及び電子メールの機能のみならず、ＭＰＥＧ４等の映像再生又はＭＰ３等の音声再生の機能を搭載しつつある。これらメール、映像及び音楽等のコンテンツは、インターネットのようなネットワークを介してダウンロードされている。
【０００３】
【発明が解決しようとする課題】
しかしながら、ＰＤＡがコンテンツをダウンロードするための操作は、ＰＤＡに接続され又は含まれる携帯電話機能及びＰＨＳ機能を用いて、サービスプロバイダに対してダイアルアップ接続することによって行われる。このとき、ネゴシエーションによってＰＤＡにＩＰアドレスが割り当てられた後で、コンテンツのダウンロードが可能となる。従って、この方法では、ＰＤＡに対して割り当てるＩＰアドレスを更に用意し、その管理も行う必要があった。
【０００４】
そこで、本発明は、ＰＤＡにＩＰアドレスを割り当てることなく、該ＰＤＡがコンテンツをダウンロードすることができる、携帯情報端末用の情報転送システムを提供することを目的とする。
【０００５】
【課題を解決するための手段】
本発明による携帯情報端末用の情報転送方法は、
携帯情報端末がＩＰパケットを中継装置へ送信する第１の段階と、
中継装置が、端末側論理ポート番号リストとして、ＩＰパケットのチャネルに基づく第１の論理ポート番号をＩＰパケットに格納し、該ＩＰパケットをルータへ送信する第２の段階と、
ルータが、端末側論理ポート番号リストとして、ＩＰパケットのチャネルに基づく第２の論理ポート番号をＩＰパケットに格納し、該ＩＰパケットをコンテンツサーバへ送信する第３の段階と、
コンテンツサーバが、コンテンツを有するパケット内に端末側論理ポート番号リストを格納して、該パケットをルータへ送信する第４の段階と、
ルータが、サーバ側論理ポート番号リストとして、パケットのチャネルに基づく第３の論理ポート番号をパケットに格納し、該パケットに含まれる端末側論理ポート番号リスト内の第２の論理ポート番号に基づくチャネルの中継装置へ該パケットを送信する第５の段階と、
中継装置が、サーバ側論理ポート番号リストとして、該パケットのチャネルに基づく第４の論理ポート番号を格納し、該パケットに含まれる端末側論理ポート番号リスト内の第１の論理ポート番号に基づくチャネルの携帯情報端末へ該パケットを送信する第６の段階とを有する。これにより、ＰＤＡにＩＰアドレスが割り当てられることなく、該ＰＤＡがコンテンツをダウンロードすることができる。ＩＰアドレスの割当のためのネゴシエーションを必要としないので、必要なコンテンツを高速にダウンロードすることができる。また、ローカル的な通信路の障害・変更による経路変更が容易に実現でき、ＩＰによるネットワークと同等な柔軟性も有する。
【０００６】
本発明の他の実施形態によれば、携帯情報端末が、サーバ側論理ポート番号リストを経路ヘッダとしてパケットに格納し、該パケットを中継装置へ送信する第７の段階を更に有することも好ましい。これにより、ローカル的な部分の経路を規定することができ、高速にルーティングが可能となる。
【０００７】
本発明の他の実施形態によれば、ルータは、該ルータに接続されたコンテンツディレクトリサーバを用いてコンテンツサーバに関する情報を取得することも好ましい。これにより、コンテンツサーバの検索等が容易になる。
【０００８】
本発明の他の実施形態によれば、コンテンツサーバが、同報ビットを有意にした同報パケットを送信する同報サーバであり、該同報パケットを受信したルータは、該同報パケットを同報的に各中継装置へ送信することも好ましい。
【０００９】
本発明の他の実施形態によれば、中継装置は、携帯情報端末が配置される接続用ベースと通信する集線装置であってもよい。また、同報パケットを受信した集線装置は、該同報パケットを同報的に各接続ベースへ送信することも好ましい。
【００１０】
本発明の他の実施形態によれば、中継装置は、無線又は赤外線を介して携帯情報端末と通信するワイヤレスアクセスノードであってもよい。また、同報パケットを受信したワイヤレスアクセスノードは、該同報パケットを同報用チャネルを介して各携帯情報端末へ送信することも好ましい。
【００１１】
【発明の実施の形態】
以下では、図面を用いて、本発明の実施形態を詳細に説明する。
【００１２】
図１は、本発明によるシステム構成図である。
【００１３】
ＰＤＡ１は、無線又は赤外線等によりワイヤレスアクセスノード２を介して、インターネットのようなネットワーク４と通信することができる。また、ＰＤＡ１は、接続用べース３を用いてネットワーク４と通信することもできる。
【００１４】
ＰＤＡ１は、例えば、サービスプロバイダのメールサーバに対して、該メールサーバのＩＰアドレスを用いてアクセスし、メールをダウンロードする。また、認証サーバに対して、認証に必要な情報を用いてアクセスする。更に、ＡＶコンテンツサーバに対して、映像又は音楽等のコンテンツ名を記述した情報を用いてアクセスし、そのコンテンツをダウンロードする。コンテンツを選択するための情報は、以下に述べる方法によりコンテンツディレクトリサーバ６から取得するか、その他の方法によって事前に取得する。
【００１５】
ＰＤＡ１は、街中又は建物内を問わずに設置されたワイヤレスアクセスノード２又は接続用べース３を介してネットワーク４と通信する。ＰＤＡ１が接続べース３に接続され、接続ボタンが押下された場合、又はＰＤＡ１がワイヤレスアクセスノード２と通信可能となり、通信を開始しようとした場合に、ＰＤＡ１は発呼を行う。
【００１６】
発呼は、ＰＤＡ１がＩＰパケット７を送出することにより行われる。ＩＰパケット７は、以下のフィールドで構成される。
・サーバでの認証のために必要な認証情報フィールド
・要求するコンテンツ名及び該コンテンツに関する情報を記述するためのフィールド
・複数のコンテンツを要求した場合、その要求との対応関係を示すためのＵｓｅｒＲｅｑｕｅｓｔ  ＩＤを格納するためのフィールド
・Ｓｅｒｖｅｒ  Ｒｅｑｕｅｓｔ  ＩＤを格納するためのフールド
・ワイヤレスアクセスノード２、集線装置１０及びルータ５において、パケット７を受信した論理的なポート番号を記述する端末側論理ポート番号リストのフィールド
・オプションを記述するためのフィールド
【００１７】
図２は、ワイヤレスアクセスノード２の構成図である。ワイヤレスアクセスノード２は、無線・赤外線を終端する。ワイヤレスアクセスノード２は、以下の機能を有する。
・ＰＤＡ１から受信したＩＰパケットを、上り回線１１へ送信する機能
・パケット種別の識別機能
・携帯情報端末１からＩＰパケット７を受信したチャネルの論理ポート番号を、ＩＰパケット７内の端末側論理ポート番号リストに記録する機能
・チャネルの状態監視を行い、ＰＤＡが離脱した場合に、離脱をサーバに通知するセッション管理機能
・ルータ５からパケット８を受信した端末側論理ポート番号リストの論理ポート番号に基づいて、該パケット８を特定の携帯情報端末１へ送信する機能
【００１８】
図３は、集線装置１０の構成図である。集線装置１０は、以下の機能を有する。
・ＰＤＡの接続ベース３から受信したＩＰパケットを、上り回線１１へ送信する機能
・パケット種別の識別機能
・接続ベース３からＩＰパケット７を受信したチャネルの論理ポート番号を、ＩＰパケット７内の端末側論理ポート番号リストに記録する機能
・チャネルの状態監視を行い、ＰＤＡが離脱した場合に、離脱をサーバに通知するセッション管理機能
・ルータ５からパケット８を受信した端末側論理ポート番号リストの論理ポート番号に基づいて、該パケット８を特定の接続ベース３へ送信する機能
【００１９】
図４は、ルータ５の構成図である。また、図５は、ルータ５内のポートリストスイッチング機能の詳細な構成図である。更に、表１は、ルータ５における、論理ポート番号読み出し方法と、論理ポート番号編集方法とを表している。
【００２０】
【表１】
0003551901.tif 000002
【００２１】
ルータ５は、以下の機能を有する。
・通常のＩＰルーティング機能
・ワイヤレスアクセスノード２又は接続ベース３からＩＰパケット７を受信したチャネルの論理ポート番号を、ＩＰパケット７内の端末側論理ポート番号リストに記録する機能
【００２２】
従って、ＩＰルータ５は、受信したチャネルの論理ポート番号を端末側論理ポート番号リストに書き込んだＩＰパケット７を、ＩＰルーティングテーブルに従って、該サーバへ転送する。
【００２３】
ワイヤレスアクセスノード２と、接続べース３を収容するエッジルータ５’とは、以下の機能を有する。
・コンテンツとそれを提供可能なサーバのＩＰアドレスとを管理するするコンテンツディレクトリサーバのＩＰアドレスを保持する機能
・ＰＤＡ１からのリクエストによりコンテンツディレクトリサーバ６のＩＰアドレスをＰＤＡ１に通知する機能
【００２４】
このコンテンツディレクトリサーバのＩＰアドレスのリクエストは、ＰＤＡよりリンクレベルのＩＰブロードキャストにより行われる。
【００２５】
ＰＤＡ１は、ルータ５’より取得したコンテンツディレクトリサーバ６のＩＰアドレスに対し、ＩＰパケット７を送信することにより、コンテンツ名とそれを提供するサーバのＩＰアドレス（コンテンツ情報）を取得する。
【００２６】
コンテンツディレクトリサーバ６は、コンテンツ情報を含むパケット８内に、ＩＰパケット７に格納されていた端末側論理ポート番号リストを格納し、該パケット８をルータ５へ転送する。
【００２７】
例えば経路に複数のルータが存在する場合は、ルータを介する毎に、サーバ側論理ポート番号リストとして当該ルータが受信したチャネルの論理ポート番号をパケット８に格納していく。
【００２８】
エッジルータ５´は、パケット８の端末側論理ポート番号リストに基づいて、以前にパケット７が到着した論理ポートにスイッチングすることにより、パケット８の転送を実施する。同様にワイヤレスアクセスノード及び集線装置でもそれぞれ、パケット８の端末側論理ポート番号リストに基づいて、スイッチング及びチャネルヘの割り当てを行うことにより、最終的にＰＤＡにＩＰパケット８を転送する。
【００２９】
パケット８は、以下のフィールドから構成される。
・Ｕｓｅｒ  Ｒｅｑｕｅｓｔ  ＩＤを格納するフィールド
・サーバ側でＰＤＡからのリクエストを識別するためのＳｅｒｖｅｒ  Ｒｅｑｕｅｓｔ  ＩＤを格納するフィールド
・ＩＰパケット７の端末側論理ポート番号リストを格納するフィールド
・パケット８を受信する毎にサーバ側論理ポート番号リストとして論理ポート番号を格納するフィールド
・コンテンツ・応答等を格納するフィールド
【００３０】
提供されるコンテンツは既知であるが、そのコンテンツを提供する最寄サーバのＩＰアドレスが不明な場合、ＰＤＡ１は、コンテンツディレクトリサーバにパケット７を用いて、そのＩＰアドレスの問合せを行うことができる。この場合、最寄のサーバのＩＰアドレスをパケット８により送信元のＰＤＡに送信し、そのＩＰアドレスに基づきＰＤＡは、再度、サーバ宛てにパケット７により発呼する。
【００３１】
前述のコンテンツは既知であるが、そのコンテンツを提供する最寄サーバのＩＰアドレスが不明である場合に、コンテンツディレクトリサーバ６で受信したパケット７の送信先ＩＰアドレスに、そのコンテンツを提供するサーバのＩＰアドレスを格納し、コンテンツディレクトリサーバ６より直接コンテンツサーバ９へ転送する方法がある。また、エッジルータ５’までサーバのＩＰアドレスをパケット７に収容したパケットをパケット８で転送し、そこからパケット７を再度ＩＰにより転送させる方法もある。
【００３２】
パケット７を受信したコンテンツサーバ９は必要に応じて７に含まれる認証情報を元に認証を行い、更に必要であればＰＤＡ１とのトランザクションにより追加の認証を行う。
【００３３】
認証の後、コンテンツサーバ９はリクエストに応じたコンテンツをパケット８によりＰＤＡに対し送信する。
【００３４】
コンテンツ転送にＴＣＰのＡｃｋ応答のようなトランザクションが必要な場合には、コンテンツサーバ９から送信されるパケット８に、ルータ５、ワイヤレスアクセスノード２、集線装置１０でパケット８を受信した論理ポート番号をパケット８に記録し、ＰＤＡにおいてその受信したパケット８より論理ポート番号リストを記録し、それをＰＤＡ１からコンテンツサーバ９方向のパケット８のヘッダに利用することで、ルータ５、ワイヤレスアクセスノード２、集線装置１０でのスイッチングによりＰＤＡ１からコンテンツサーバ９へ応答を行う。
【００３５】
ＰＤＡにおいてコンテンツサーバのＩＰアドレスを知っている場合には、ＩＰパケット７によりＰＤＡ１からコンテンツサーバヘの応答が可能である。このＩＰパケット７による応答を定期的に行うことにより、通信路障害、経路変更等によりＩＰ経路が変更となった場合に、コンテンツサーバ９に対し新規の論理ポート番号リストを通知することも可能である。
【００３６】
更に、同報サーバ１２がルータ５又はエッジルータ５´に接続されることも好ましい。該同報サーバ１２は、端末側論理ボート番号リストの同報ビットを有意にしたパケット８を、ルータ５へ送信する。該ルータ５は、ワイヤレスアクセスノード２及び集線装置１０へ、複数コピーしたパケット８をそれぞれに送信する。集線装置１０は、受信したパケット８を、それぞれの接続ベース３へ同報的に送信する。ワイヤレスアクセスノード２は、受信したパケット８を、特定の同報用無線チャネルに送信する。携帯情報端末１は、接続ベース３を介してパケット８を受信し、又は同報用無線チャネルを介してパケット８を受信する。
【００３７】
【発明の効果】
前述したように、本発明による携帯情報端末用の情報転送システムは、ＰＤＡに個別にＩＰアドレスを割り当てることなく情報の取得が可能であり、また、論理ポートリストによるスイッチングにより、高速な転送を可能とする。
【図面の簡単な説明】
【図１】本発明によるシステムの構成図である。
【図２】本発明によるワイヤレスアクセスノードの構成図である。
【図３】本発明による集線装置の構成図である。
【図４】本発明によるルータの構成図である。
【図５】図４のルータのポートリストスイッチング部の構成図である。
【図１】
0003551901.tif 000003
【図２】
0003551901.tif 000004
【図３】
0003551901.tif 000005
【図４】
0003551901.tif 000006
【図５】
0003551901.tif 000007